(57)【要約】      （修正有）【課題】複雑な多色絵柄であっても、所望の装飾模様を正確かつ迅速に成形することができ、かつ、装飾部分が剥離するおそれもないプラスチック眼鏡の装飾テンプルを提供する。【解決手段】適度の靱性を有する長手の棒状または板状の芯金部材１は、基材の表面に金属光沢を有する金属メッキ層１２を被覆して、かつ、この金属メッキ層１２の表面には透明もしくは半透明の樹脂材料からなるクリア下地層を被覆するとともに、このクリア下地層の表面の少なくとも一部には、複数色の塗料からなる装飾図柄Ｐを構成する塗料層１４を設けて、この塗料層１４による装飾模様Ｐの間隙から前記金属メッキ層１２の金属光沢を露出せしめる一方、プラスチック材料から成る外生地２の透視面２１を介して前記芯金部材１の装飾図柄Ｐが外部から視認可能な状態で、外生地２の内部に封入して一体化する。【選択図】図３
0003144446.tif 000002
【実用新案登録請求の範囲】
【請求項１】
眼鏡フレームの左右両側に配設されるテンプルであって、
適度の靱性を有する長手の棒状または板状の芯金部材１は、基材11の表面に金属光沢を有する金属メッキ層12が被覆され、かつ、この金属メッキ層12の表面には透明もしくは半透明の樹脂材料からなるクリア下地層13が被覆されているとともに、このクリア下地層13の表面の少なくとも一部には、複数色の塗料からなる装飾図柄Ｐを構成する塗料層14が設けられ、この塗料層14による装飾模様Ｐの間隙から前記金属メッキ層12の金属光沢が露出している一方、
プラスチック材料から成る外生地２は、少なくとも一方の表面が透光性もしくは半透光性を有する透視面21を構成しており、この透視面21を介して前記芯金部材１の装飾図柄Ｐが外部から視認可能な状態で、外生地２の内部に封入されて一体化されていることを特徴とするプラスチック眼鏡の装飾テンプル。
【請求項２】
外生地２の両面ともに透視面21を有しており、かつ、芯金部材１の両面に塗料層14による装飾図柄Ｐが形成されていることを特徴とする請求項１記載のプラスチック眼鏡の装飾テンプル。
【請求項３】
インクジェット印刷による微滴化インクの吹き付けにより複数色の塗料がクリア下地層13の表面に付着されて、塗料層14の装飾図柄Ｐが形成されていることを特徴とする請求項１または２記載のプラスチック眼鏡の装飾テンプル。
【請求項４】
芯金部材１の金属メッキ層12の金属材料が、金、銀、銅、鉄、パラジウム、ロジウム、アルミニウム、チタン、モリブデン、亜鉛、コバルト、ニッケル、クロムのうちの何れかであることを特徴とする請求項１〜３の何れか一つに記載のプラスチック眼鏡の装飾テンプル。
【請求項５】
芯金部材１のクリア下地層12の使用材料が、アクリル系樹脂、ウレタン系樹脂、エポキシ系樹脂、シリコーン系樹脂、シラン系樹脂、合成ゴムの何れかであることを特徴とする請求項１〜４の何れか一つに記載のプラスチック眼鏡の装飾テンプル。
【考案の詳細な説明】
【技術分野】
【０００１】
本考案は、眼鏡部品の改良、更に詳しくは、複雑な多色絵柄であっても、所望の装飾模様を正確かつ迅速に成形することができ、かつ、装飾部分が剥離するおそれもないプラスチック眼鏡の装飾テンプルに関するものである。
【背景技術】
【０００２】
周知のとおり、機能性だけでなくデザイン性が重要視される眼鏡フレームにおいて、特に左右両側に配置されるテンプルの装飾性は非常に重要なデザイン要素である。
【０００３】
そこで、従来のテンプル装飾としては、テンプル表面に各種の色柄模様を印刷したり塗装したり、あるいはテンプル表面を染色して行うものが開示されている（例えば、特許文献１参照）。
【０００４】
しかしながら、このような装飾手段によって付与された模様は、度重なる眼鏡の掛け外しによって摩耗し易く、耐久性に乏しいという不満があった。
【０００５】
また、近年では、テンプルの材料に軽量で加工性に優れたプラスチックが積極的に用いられており、かかるプラスチックテンプルはソリを防いだり剛性を高めたりする目的で芯金部材が封入されて形成されている。
【０００６】
従来、かかるプラスチックテンプルにおける装飾手段としては、芯金部材に凹部を成形して装飾部材を嵌合するものが開示されている（例えば、特許文献２参照）。
【０００７】
しかしながら、かかるプラスチックテンプルにおける装飾手段では、加工が面倒で製造コストもかかってしまい、また、図柄のバリエーションも制限されてしまうことから、任意の装飾性を表現することができないという不満があった。
【０００８】
更にまた、テンプルの芯金部材にパッド印刷やレーザー印刷などを施す技法も知られているが、パッド印刷では、その工程上、単色の印刷には適しているが、２色以上の印刷を施すには、１色目の印刷物に正確に添わせなくてはならないため、極めて高い加工精度が要求され、２色目以降の印刷がブレ易く、所望の正確な図柄を形成し難いという問題があった。
【特許文献１】登録実用新案第３０６５９５１号公報（第６−８頁、図１−３）
【特許文献２】特開２００３−２１８１３号公報（第３−７頁、図２−５）
【考案の開示】
【考案が解決しようとする課題】
【０００９】
本考案は、従来の眼鏡部品に上記のような不満があったことに鑑みて為されたものであり、その目的とするところは、複雑な多色絵柄であっても、所望の装飾模様を正確かつ迅速に成形することができ、かつ、装飾部分が剥離するおそれもないプラスチック眼鏡の装飾テンプルを提供することにある。
【課題を解決するための手段】
【００１０】
本考案者が上記課題を解決するために採用した手段を添付図面を参照して説明すれば次のとおりである。
【００１１】
即ち、本考案は、眼鏡フレームの左右両側に配設されるテンプルであって、
適度の靱性を有する長手の棒状または板状の芯金部材１は、基材11の表面に金属光沢を有する金属メッキ層12を被覆して、かつ、この金属メッキ層12の表面には透明もしくは半透明の樹脂材料からなるクリア下地層13を被覆するとともに、このクリア下地層13の表面の少なくとも一部には、複数色の塗料からなる装飾図柄Ｐを構成する塗料層14を設けて、この塗料層14による装飾模様Ｐの間隙から前記金属メッキ層12の金属光沢を露出せしめる一方、
プラスチック材料から成る外生地２は、少なくとも一方の表面が透光性もしくは半透光性を有する透視面21を構成しており、この透視面21を介して前記芯金部材１の装飾図柄Ｐが外部から視認可能な状態で、外生地２の内部に封入して一体化するという技術的手段を採用することによって、プラスチック眼鏡の装飾テンプルを完成させた。
【００１２】
また、本考案は、上記課題を解決するために、必要に応じて上記手段に加え、外生地２の両面ともに透視面21を有しており、かつ、芯金部材１の両面に塗料層14による装飾図柄Ｐを形成するという技術的手段を採用した。
【００１３】
更にまた、本考案は、上記課題を解決するために、必要に応じて上記手段に加え、インクジェット印刷による微滴化インクの吹き付けにより複数色の塗料をクリア下地層13の表面に付着して、塗料層14の装飾図柄Ｐを形成するという技術的手段を採用した。
【００１４】
更にまた、本考案は、上記課題を解決するために、必要に応じて上記手段に加え、芯金部材１の金属メッキ層12の金属材料を、金、銀、銅、鉄、パラジウム、ロジウム、アルミニウム、チタン、モリブデン、亜鉛、コバルト、ニッケル、クロムのうちの何れかにするという技術的手段を採用した。
【００１５】
更にまた、本考案は、上記課題を解決するために、必要に応じて上記手段に加え、芯金部材１のクリア下地層12の使用材料を、アクリル系樹脂、ウレタン系樹脂、エポキシ系樹脂、シリコーン系樹脂、シラン系樹脂、合成ゴムの何れかにするという技術的手段を採用した。
【考案の効果】
【００１６】
本考案にあっては、眼鏡フレームの左右両側に配設されるテンプルであって、適度の靱性を有する長手の棒状または板状の芯金部材は、基材の表面に金属光沢を有する金属メッキ層を被覆して、かつ、この金属メッキ層の表面には透明もしくは半透明の樹脂材料からなるクリア下地層を被覆するとともに、このクリア下地層の表面の少なくとも一部には、複数色の塗料からなる装飾図柄を構成する塗料層を設け、この塗料層による装飾模様の間隙から前記金属メッキ層の金属光沢を露出せしめる一方、プラスチック材料から成る外生地は、少なくとも一方の表面が透光性もしくは半透光性を有する透視面を構成しており、この透視面を介して前記芯金部材の装飾図柄が外部から視認可能な状態で、外生地の内部に封入されて一体化することによって、複雑な多色絵柄であっても、所望の装飾模様を正確かつ迅速に成形することができる。
【００１７】
また、芯金部材の装飾部分がテンプル内部に封入されているので、テンプル樹脂体が厚い保護層となって、装飾部分が剥離するおそれもなく、装飾部分の耐久性を向上させることから、眼鏡部品としての実用的利用価値は頗る高いと云える。
【考案を実施するための最良の形態】
【００１８】
本考案を実施するための最良の形態を具体的に図示した図面に基づいて更に詳細に説明すると、次のとおりである。
【００１９】
本考案の実施形態を図１から図６に基づいて説明する。図中、符号１で指示するものは芯金部材であり、符号２で指示するものは外生地である。
【００２０】
しかして、本考案は、図１に示すような左右一対のレンズを備えた眼鏡フレームの左右両側に配設される耳掛用のテンプルであって、構成するにあっては、まず、芯金部材１の基材11の表面に金属光沢を有する金属メッキ層12を被覆する。本実施形態では、基材11は、適度の靱性を有する長手の棒状または板状の部材であって、純チタン、Ｎｉ−Ｔｉ系合金、Ｎｉ−Ｃｕ合金、サンプラチナ、ベリリウム銅、ステンレス、アルミニウムなどの金属材料を採用することができる。
【００２１】
また、金属メッキ層12の金属材料としては、金、銀、銅、鉄、パラジウム、ロジウム、アルミニウム、チタン、モリブデン、亜鉛、コバルト、ニッケル、クロムなどを採用することができ、金属光沢が良好な金やパラジウムが好適である。なお、メッキ工程は、公知の電解メッキ法や無電解メッキ法、イオンプレーティング法により行う。
【００２２】
次に、この金属メッキ層12の表面には透明もしくは半透明の樹脂材料からなるクリア下地層13を被覆する（所謂「プライマー処理」）。後述する塗料層14との密着性を高めるためである。本実施形態では、このクリア下地層13の使用材料として、アクリル系樹脂、ウレタン系樹脂、エポキシ系樹脂、シリコーン系樹脂、シラン系樹脂（オルガノシラン）、合成ゴムなどを採用することができる。
【００２３】
そして、このクリア下地層13の表面の少なくとも一部には、複数色の塗料からなる装飾図柄Ｐを構成する塗料層14を設ける。本実施形態では、インクジェット印刷による微滴化インクの吹き付けにより複数色の塗料をクリア下地層13の表面に付着させて、塗料層14の装飾図柄Ｐを形成することができ、写真などの複雑な多色図柄であっても、重ね塗りをせずに、一度の工程でインクを付着させることができ、迅速かつ確実に美しく仕上げることができる。
【００２４】
この際、この塗料層14による装飾模様Ｐの間隙から、クリア下地層13を透過して前記金属メッキ層12の金属光沢を露出せしめることにより、高級感を醸し出すことができる。
【００２５】
そして、プラスチック材料から成る外生地２は、少なくとも一方の表面が透光性もしくは半透光性を有する透視面21を構成している。本実施形態では、セルロースプロピオネート樹脂材料を使用して作製するとともに、端部から内部にかけて切削等により嵌合孔22を形成する。
【００２６】
そして、芯金部材１を外生地２に封入する際は、この外生地２の嵌合孔22から、表面の装飾模様Ｐが擦損しないようにして芯金部材１を順次挿入していき嵌合せしめる（図２参照）。このようにして、外生地２の透視面21を介して前記芯金部材１の装飾図柄Ｐが外部から視認可能な状態で、外生地２の内部に封入して一体化することによって本考案の装飾テンプルを完成する（図２〜図５参照）。
【００２７】
なお、本実施形態では、外生地２の両面ともに透視面21を有し、かつ、芯金部材１の両面に塗料層14による装飾図柄Ｐを形成することもでき、より装飾性の高いテンプルを構成することができる。
【００２８】
本考案は、概ね上記のように構成されるが、本考案は図示の実施形態に限定されるものでは決してなく、「実用新案登録請求の範囲」の記載内において種々の変更が可能であって、例えば、外生地２の使用材料は、透明または半透明のものであれば、セルロースプロピオネート樹脂材料に限らず、ウレタン樹脂材料やナイロン系エラストマー樹脂材料等を採用しても良い。
【００２９】
また、眼鏡フレームはフルリム、ナイロール（ハーフリム）、リムレスの何れのタイプのものにも適用することができ、これら何れのものも本考案の技術的範囲に属する。
【図面の簡単な説明】
【００３０】
【図１】本考案の実施形態の眼鏡を表わす全体斜視図である。
【図２】本考案の実施形態の装飾テンプルの製造工程を表わす部分斜視図である。
【図３】本考案の実施形態の装飾テンプルを表わす側面図である。
【図４】本考案の実施形態の装飾テンプルを表わす側面図である。
【図５】本考案の実施形態の装飾テンプルを表わす側面図である。
【図６】本考案の実施形態の装飾テンプルの構造を表わす断面図である。
【符号の説明】
【００３１】
１    芯金部材
11    基材
12    クリア下地層
13    塗料層
14    金属メッキ層
２    外生地
21    透視面
22    嵌合孔
Ｐ    装飾図柄
【図１】
0003144446.tif 000003
【図２】
0003144446.tif 000004
【図３】
0003144446.tif 000005
【図４】
0003144446.tif 000006
【図５】
0003144446.tif 000007
【図６】
0003144446.tif 000008